(57)【要約】【課題】アンテナに対する自動インストール作業を実現でき、且つ効率よく、容易に操作することもできるアンテナの取付け装置を提供すること。【解決手段】本発明に係るアンテナの取付け装置は、主体部、第一湾曲アーム及び第二湾曲アームを含み、且つ外力によって水平方向において回転するか又は垂直方向において上下に移動することができる回転部材を備える。前記第一湾曲アームは、連接ロッド及び吸着ロッドを含み、前記第二湾曲アームは、連接ロッド及びプッシュロッドを含み、前記第一湾曲アーム及び前記第二湾曲アームの連接ロッドの一端は、皆前記主体部の一端に連接され、前記吸着ロッドは、中空に成形され且つその自由端には吸盤が設けられ、前記吸着ロッド内の気体が抽出された後、前記吸着ロッド内に真空が形成されるので、前記吸盤は前記アンテナを吸着し、前記吸着ロッド内に気体を再び注入した後、前記アンテナは前記吸盤から離脱する。【選択図】図２
2013022726.tif 000002
【特許請求の範囲】
【請求項１】
アンテナを電子装置に取付けるためのアンテナの取付け装置であって、前記アンテナの取付け装置は、主体部、第一湾曲アーム及び第二湾曲アームを含み、且つ外力によって水平方向において回転するか又は垂直方向において上下に移動することができる回転部材を備え、
前記第一湾曲アームは、所定角度を形成するように連接する連接ロッド及び吸着ロッドを含み、前記第二湾曲アームは、所定角度を形成するように連接する連接ロッド及びプッシュロッドを含み、前記第一湾曲アーム及び前記第二湾曲アームの連接ロッドの一端は、前記主体部の一端とそれぞれ連接して固定され、前記第一湾曲アームの吸着ロッドは、中空に成形され且つその自由端には吸盤が設けられ、
前記吸着ロッド内の気体が抽出された後、前記吸着ロッド内に真空が形成されるので、前記吸盤は前記アンテナを吸着し、前記吸着ロッド内に気体を再び注入した後、前記アンテナは前記吸盤から離脱する
ことを特徴とするアンテナの取付け装置。
【請求項２】
前記主体部及び前記第一湾曲アームの連接ロッドも、中空に成形され、前記主体部と前記第一湾曲アームの連接ロッドとに互いに連通し、気体は前記主体部の先端から抽出されるかまたは前記主体部及び前記第一湾曲アーム内に注入されることを特徴とする請求項１に記載のアンテナの取付け装置。
【請求項３】
前記回転部材は、連接ロッド及び吸着ロッドを有する第三湾曲アームをさらに備え、前記第三湾曲アームの連接ロッド及び吸着ロッドは、所定角度を形成して互いに連通するように連接され、且つ皆中空に成形され、
前記第三湾曲アームの吸着ロッドの自由端には吸盤が設けられ、前記第三湾曲アームの連接ロッドは、前記第一湾曲アームの連接ロッドと前記主体部との交わり部位に連接され、且つ前記第一湾曲アームの連接ロッドと前記主体部とに互いに連通し、前記主体部の先端には、１つのガス案内パイプが設けられることを特徴とする請求項２に記載のアンテナの取付け装置。
【請求項４】
前記第一湾曲アーム及び前記第三湾曲アームは、一体に成形され、前記第一湾曲アームの連接ロッドと前記第三湾曲アームの連接ロッドは、１つの直線レバーを構成し、前記主体部は、前記直線レバーの中間位置に連接されることを特徴とする請求項３に記載のアンテナの取付け装置。
【請求項５】
前記第一湾曲アームの連接ロッド及び吸着ロッドは、垂直に連接され、前記第二湾曲アームの連接ロッド及びプッシュロッドは、垂直に連接され、前記第三湾曲アームの連接ロッド及び吸着ロッドも、垂直に連接され、前記第二湾曲アームの連接ロッドは、水平面において前記直線レバーに直交することを特徴とする請求項４に記載のアンテナの取付け装置。
【発明の詳細な説明】
【技術分野】
【０００１】
本発明は、アンテナの取付け装置に関するものである。
【背景技術】
【０００２】
携帯電話機及び個人用携帯情報端末（ＰＤＡ）等の受信機能を持つ電子装置には、無線信号を受信するためのアンテナが設けられている。目下、アンテナを電子装置に取付ける方法について、アンテナのねじ凹溝が設けられた一端を電子装置の機体の収容孔内に回転しながら装入して、両者を電気的に接続させるように一体に固定することが、よく採用されている。しかし、このような組み立て方式は、手作業のみに頼り、時間が掛かり、効率も低下する。
【発明の概要】
【発明が解決しようとする課題】
【０００３】
本発明は、上記の問題点を考慮してなされたものであり、アンテナに対する自動インストール作業を実現でき、且つ効率よく、容易に操作することもできるアンテナの取付け装置を提供することを目的とする。
【課題を解決するための手段】
【０００４】
上記の目的を達成するために、本発明に係るアンテナの取付け装置は、主体部、第一湾曲アーム及び第二湾曲アームを含み、且つ外力によって水平方向において回転するか又は垂直方向において上下に移動することができる回転部材を備える。前記第一湾曲アームは、所定角度を形成するように連接する連接ロッド及び吸着ロッドを含み、前記第二湾曲アームは、所定角度を形成するように連接する連接ロッド及びプッシュロッドを含み、前記第一湾曲アーム及び前記第二湾曲アームの連接ロッドの一端は、前記主体部の一端とそれぞれ連接して固定され、前記第一湾曲アームの吸着ロッドは、中空に成形され且つその自由端には吸盤が設けられ、前記吸着ロッド内の気体が抽出された後、前記吸着ロッド内に真空が形成されるので、前記吸盤は前記アンテナを吸着し、前記吸着ロッド内に気体を再び注入した後、前記アンテナは前記吸盤から離脱する。
【発明の効果】
【０００５】
従来の技術に比べて、本発明のアンテナの取付け装置によって、アンテナに対する自動インストール作業を正確に且つ快速に行うことができる。
【図面の簡単な説明】
【０００６】
【図１】本発明の実施形態に係るアンテナの取付け装置と電子装置との分解図である。
【図２】本発明の実施形態に係るアンテナの取付け装置の拡大図である。
【図３】図１に示したＩＩＩ部の拡大図である。
【図４】図１に示したアンテナの取付け装置と電子装置との組立図である。
【発明を実施するための形態】
【０００７】
図１〜図４に示したように、本発明の実施形態に係るアンテナの取付け装置３０は、アンテナ１０を電子装置２０に取付けるために用いられる。前記アンテナの取付け装置３０は、外力によって水平方向において回転するか又は垂直方向において上下に移動することができる回転部材３０１を備える。前記回転部材３０１は、主体部４０１、第一湾曲アーム４０２及び第二湾曲アーム４０３を備える。前記第一湾曲アーム４０２は、所定角度を形成して互いに連接する連接ロッド４０２１及び吸着ロッド４０２２を備える。前記第二湾曲アーム４０３は、所定角度を形成して互いに連接する連接ロッド４０３１及びプッシュロッド４０３２を備える。前記連接ロッド４０２１の一端と前記連接ロッド４０３１の一端は、交わり且つ前記主体部４０１の下端とそれぞれ接する。
【０００８】
前記第一湾曲アーム４０２の吸着ロッド４０２２は、中空であり且つその自由端には前記吸着ロッド４０２２と互いに連通する吸盤４０２３が設けられている。前記吸着ロッド４０２２の中の空気が抽出されると、前記吸着ロッド４０２２の内部は真空環境になり、前記吸盤４０２３は前記アンテナ１０を吸着する。前記吸着ロッド４０２２内に空気を再び注入すると、前記吸盤４０２３は前記アンテナ１０から離脱する。前記吸盤４０２３を介して、それに吸着する前記アンテナ１０を前記電子装置２０の予め指定される位置に解放してから、前記回転部材３０１に外力を加えて、前記第二湾曲アーム４０３のプッシュロッド４０３２を前記アンテナ１０の上方まで回転させる。それから、引き続き外力を加えて、前記プッシュロッド４０３２により前記アンテナ１０を推進してそれを前記電子装置２０に係合させる。
【０００９】
前記電子装置２０は、携帯電話機或いはパソコン等の受信機能を持つ電子装置である。図１に示したように、前記アンテナ１０は、前記電子装置２０の液晶表示パネル（ＬＣＤ）の回路基板に取付けられる。
【００１０】
本実施形態において、前記アンテナの取付け装置３０の回転部材３０１は、ＮＣ制御装置（図示せず）に装着され、且つ前記ＮＣ制御装置により制御されて、水平方向において回転できるかまたは垂直方向に沿って移動することができる。
【００１１】
また、本実施形態において、前記主体部４０１及び前記第一湾曲アーム４０２の連接ロッド４０２１も、中空に成形される。前記連接ロッド４０２１は、前記主体部４０１と互いに連通すると共に、前記吸着ロッド４０２２にも連通する。前記主体部４０１の先端４０１１は、１つのガス案内パイプが設けられ、気体が前記主体部４０１の先端４０１１から抽出されるか又は注入される。
【００１２】
また、前記回転部材３０１は、第三湾曲アーム４０４をさらに備える。前記第三湾曲アーム４０４は、所定角度を形成して互いに連接する連接ロッド４０４１及び吸着ロッド４０４２を備える。前記連接ロッド４０４１及び前記吸着ロッド４０４２も、中空に成形され且つ互いに連通する。前記吸着ロッド４０４２の自由端にも吸盤４０２３が設けられている。前記連接ロッド４０４１の末端は、前記第一湾曲アーム４０２の連接ロッド４０２１と前記主体部４０１との交わり部位に連接される。前記連接ロッド４０４１は、前記連接ロッド４０２１と前記主体部４０１とに互いに連通する。
【００１３】
前記主体部４０１の先端４０１１から前記アンテナの取付け装置３０の各々のロッド内の空気を抽出した後、前記吸着ロッド４０２２、４０４２の下端の吸盤４０２３は、協働して、前記アンテナ１０を同時に吸着する。前記先端４０１１を介して前記アンテナの取付け装置３０内に空気を注入すると、前記アンテナ１０は前記吸盤４０２３から離脱する。
【００１４】
上記の実施形態において、前記第一湾曲アーム４０２と前記第三湾曲アーム４０４は、一体に成形される構造である。前記連接ロッド４０２１と前記連接ロッド４０４１は、１つの直線レバー４０５をなす。前記主体部４０１は、前記直線レバー４０５の中間位置に連接される。
【００１５】
また、上記の実施形態において、前記第一湾曲アーム４０２の連接ロッド４０２１及び吸着ロッド４０２２は、垂直に連接され、前記第二湾曲アーム４０３の連接ロッド４０３１及びプッシュロッド４０３２は、垂直に連接され、前記第三湾曲アーム４０４の連接ロッド４０４１及び吸着ロッド４０４２も、垂直に連接される。前記第二湾曲アーム４０３の連接ロッド４０３１は、水平面において前記直線レバー４０５に直交する。
【００１６】
図２及び図３に示したように、前記アンテナ１０には複数の貫通孔１０１が設けられ、前記電子装置２０の所定位置に前記貫通孔１０１に対応する複数の係止柱２０１が設けられている。前記アンテナ１０は、前記第二湾曲アーム４０３のプッシュロッド４０３２からの押圧力を受けると、各々の貫通孔１０１がそれに対応する前記係止柱２０１の周りを囲むように設置されて、前記アンテナ１０は前記電子装置２０に安定に取付けられる。
【００１７】
以上、本発明の好適な実施形態について詳細に説明したが、本発明は前記実施形態に限定されるものではなく、本発明の範囲内で種々の変形又は修正が可能であり、該変形又は修正も、本発明の特許請求の範囲内に含まれるものであることは、言うまでもない。
【符号の説明】
【００１８】
１０              アンテナ
２０              電子装置
３０              アンテナの取付け装置
１０１            貫通孔
２０１            係止柱
３０１            回転部材
４０１            主体部
４０２            第一湾曲アーム
４０３            第二湾曲アーム
４０４            第三湾曲アーム
４０５            直線レバー
４０１１          先端
４０２１          連接ロッド
４０２２          吸着ロッド
４０２３          吸盤
４０３１          連接ロッド
４０３２          プッシュロッド
４０４１          連接ロッド
４０４２          吸着ロッド 
【図１】
2013022726.tif 000003
【図２】
2013022726.tif 000004
【図３】
2013022726.tif 000005
【図４】
2013022726.tif 000006